(57)【要約】      （修正有）【課題】加齢により顔、特に頬及びその近傍部位に生ずる弛みを簡単な取付作業で矯正できる、顔の弛み、ほうれい線矯正用具を提供する。【解決手段】顔の弛み、ほうれい線矯正用具は、両端部に柔軟性、伸縮性に富む素材の掛け部２を作成した柔軟性、伸縮性の素材から成る横長の固定部材１と、この固定部材１の中央から両端側に寄ったそれぞれの位置に突出して設けた柔軟性、弾力性の素材から成る引き上げ部材３とから成り、使用時に固定部材１の中央部を顎５に当て、掛け部２を耳６に懸け渡すことで、引き上げ部材３により頬７及びその近傍を上方に引き上げる。【選択図】図１
0003175823.tif 000002
【実用新案登録請求の範囲】
【請求項１】
両端部に柔軟性、伸縮性に富む素材の掛け部を作成した、柔軟性、伸縮性の素材から成る横長の固定部材と、この固定部材の中央から両端側に寄ったそれぞれの位置に突出して設けた柔軟性、弾力性のある素材から成る引き上げ部材とから成り、使用時に固定部材の中央部を顎に当て、掛け部を耳に懸け渡すことで、引き上げ部材により頬及びその近傍を上方に引き上げることを可能にした顔の弛み、ほうれい線矯正用具
【請求項２】
固定部材を柔軟性、伸縮性のある横長の表面材と裏面材とを固着した二層面材で作成した本体とするとともに、掛け部として前記本体の両端にU字状の開放端側を固着した柔軟性、伸縮性素材の取付体を設け、引き上げ部材を、柔軟性、弾力性を有する芯材を前記二層面材で覆うことで固着して突出体としたことを特徴とする請求項１の顔の弛み、ほうれい線矯正用具
【請求項３】
固定部材を柔軟性、伸縮性のある横長の一層の素材とした基材部とするとともに、掛け部として前記基材部の両端にU字状の開放端部を固着した柔軟性、伸縮性の取付材を設け、引き上げ部材を柔軟性、弾力性のある素材を露出させた平頭饅頭形の突出部材としたことを特徴とする請求項１の顔の弛み、ほうれい線矯正用具
【請求項４】
両端部の掛け部として設けたU字状部を含めて、固定部材を柔軟性、伸縮性のある素材の紐状もしくは帯状の輪材から成る横向きの閉鎖輪として作成し、引き上げ部材を柔軟性、弾力性のある素材の突出体として横向き平行にした閉鎖輪の相対向する相互の輪材に懸け渡して設けたことを特徴とする請求項１の顔の弛み、ほうれい線矯正用具
【考案の詳細な説明】
【技術分野】
【０００１】
本考案は加齢により生ずる顔の、特に頬近辺の弛みを矯正し、同時にほうれい線の矯正も行うための用具に関するものである。
【背景技術】
【０００２】
顔の皮膚や筋肉は加齢とともにその働きが衰えるため、顔に弛みが表れることが避けられない。顔全体に弛みが生じてくることになるが、特に頬に弛みが生じたり、口との間のほうれい線の溝が深くなるといった事態が生ずる。そのため特に美容に関心の高い女性にとって、これらのことは重大な関心事となっていた。
【０００３】
そこでこれまで、栄養クリームを塗布して指先でマッサージを施したり、ヒアルロン酸やコラーゲンを注入するなどの治療を施すことが行われている。
【０００４】
また各種の器具を開発して、顔に生じた弛みを矯正するための試みがなされている。たとえば、顔面の皮膚の弛みの原因となる口横のほうれい線を上方に引き上げ、顔の皮膚を引き締めることで、弛みを矯正する「顔のマスク」としての発明として、「上部に主ベルト、側部に副ベルトを設けた、顔面の下部全体を覆う本体から成るマスクで、この本体を顔面に当てるとき、主ベルトを頭頂部の後方で縛結し、副ベルトを頭部の背面に回して縛結する（耳、口、顎の各部位には逃げ用として、それぞれ耳穴、口穴、顎穴を設けている）マスク」が考えられている。（特許文献１参照）
【先行技術文献】
【特許文献】
【０００５】
【特許文献１】特開２０１０−１２１８８号公報
【考案の概要】
【考案が解決しようとする課題】
【０００６】
上記従来の美容品の使用では、顔の弛みの矯正には十分な効果は期待できず、治療についても経済的な負担が課題として挙げられていた。
【０００７】
また弛みの矯正のための用具としての前記マスクについては、以下の課題が解決されなければならない。
【０００８】
すなわち、このマスクは、本体が顎、口を含む顔の下部のほとんどを覆う広い面積の本体と、この本体を上方、側方に引っ張る主、副の二つのベルトを使用するもので、部品点数が多く、しかも目的を達するために顔の下部を覆う構成であることから、口や顎、耳などの逃げ穴を特に作成しなければならず、多くの作成工数を必要とするものである。
【０００９】
また上記マスクにおいては、本体を単に上方及び側方に引っ張ることのみを考慮したものであるため、頬の弛みの矯正やその近傍の部位に生ずるほうれい線の溝が深くなるという問題に対する矯正などについての方策が特別に講じられていない、ことなどが解決されるべき課題として挙げられる。
【課題を解決するための手段】
【００１０】
本考案は上記の課題を解決したもので、使用時に頬及びその近傍を引き上げる目的を有する引き上げ部材と、この引き上げ部材を一部に設け使用時に両端に設けた掛け部とともに顔への固定を行う固定部材という数少ない構成要素を基本に据えた顔の弛みの矯正と、ほうれい線を目立たなくさせる矯正を図った考案を提供するものである。
【００１１】
具体的には第１に、両端部に柔軟性、伸縮性に富む素材の掛け部を作成した、柔軟性、伸縮性の素材から成る横長の固定部材と、この固定部材の中央から両端側に寄ったそれぞれの位置に突出して設けた柔軟性、弾力性のある素材から成る引き上げ部材とから成り、使用時に固定部材の中央部を顎に当て、掛け部を耳に懸け渡すことで、引き上げ部材により頬及びその近傍を上方に引き上げることを可能にした顔の弛み、ほうれい線矯正用具を提供するものである。
【００１２】
この矯正用具は、顎と両耳に懸け渡す掛け部と固定部材、頬に圧接させて頬とその近傍部位を引き上げ部材により引き上げるという簡単な構成と、容易な取付作業（固定作業）によって、確実に顔とほうれい線の矯正を成し遂げられる優れた考案である。またこの矯正用具は、構成が固定部材、掛け部、引き上げ部材という簡単なものであるうえに、顔への取付も頬を中心にした極めて限られた部位に限定され、しかも取付け（固定）も固定部材の中央部を顎に当て端部の掛け部を耳に掛けるという簡単な作業で行える極めて便利なものである。また固定部材、引き上げ部材、掛け部など使用時に、顔に直接接する素材は柔軟性を有するもので作成しているため、使用者への肉体的負担も極めて軽いものである。
【００１３】
次の第２から第４の考案は上記第１の考案の一部を下位概念化し、実施形態として表現したものであるが、この第１の基本考案が有する効果は第２以下の考案も当然有するものである。
【００１４】
また第２に、固定部材を柔軟性、伸縮性のある横長の表面材と裏面材とを固着した二層面材で作成した本体とするとともに、掛け部として前記本体の両端にU字状の開放端側を固着した柔軟性、伸縮性素材の取付体を設け、引き上げ部材を、柔軟性、弾力性を有する芯材を前記二層面材で覆うことで固着して突出部としたことを特徴とする顔の弛み、ほうれい線矯正用具を提供するものである。
【００１５】
この矯正用具は、固定部材を二層面材で作成することにより、強度が増すとともに、引き上げ部材となる突出部を形成するのに芯材内包方式を採用することを可能とし、製作を容易にすることができる。
【００１６】
また第３に、固定部材を柔軟性、伸縮性のある横長の一層の素材とした基材部とするとともに、掛け部として前記基材部の両端にU字状の開放端部を固着した柔軟性、伸縮性の取付材を設け、引き上げ部材を柔軟性、弾力性の素材を露出させた平頭饅頭形の突出部材としたことを特徴とする顔の弛み、ほうれい線矯正用具を提供するものである。
【００１７】
この矯正用具は、固定部材を一層の素材の基材部とすることにより、引き上げ部材として素材を露出させた突出部材を使用でき、固着もより簡単に行うことができる。また突出部材に使用する素材の選択の仕方によって引き上げ効果もより向上させることができる。
【００１８】
さらに第４に、両端部の掛け部として設けたU字状部を含めて、固定部材を柔軟性、伸縮性のある素材の紐状もしくは帯状の輪材から成る横向きの閉鎖輪として作成し、引き上げ部材を柔軟性、弾力性のある素材の突出体として横向き平行にした閉鎖輪の相対向する相互の輪材に懸け渡して設けたことを特徴とする顔の弛み、ほうれい線矯正用具を提供するものである。
【００１９】
この矯正用具は、固定部材を紐状もしくは帯状の輪材から成る閉鎖輪としたことによって、構成が極めて簡易なものであるうえ、纏めるのが容易で小さく纏めることが可能となるため、使用しない時などの保管にも有用なものである。しかも全体の嵩も小さく軽量であるため、携帯するときに便利なものであり、価格も極めて低廉なものとすることができる。また引き上げ部材の突出体の固着も、２本の平行させた対向する輪材に懸け渡して行うものであるため、簡単な作業で行うことができる。さらに、使用時には固定部材を上方向に引き上げる力が付与されるため、耳に荷重が架かることが想定されるが、これも掛け部である輪材の閉鎖輪となる紐もしくは帯を幅広のものとすれば容易に解決できるものである。
【考案の効果】
【００２０】
以上のように本考案は、掛け部を有する固定部材とこの固定部材の一部に設けた突出形状の引き上げ部材とから成る極めて簡単な構成であることから、作成が容易であり、価格も低廉にすることができる。また使用時における顔への取付け（固定）も、顎に固定部材の中央部を懸け、耳に掛け部を引っかけるという簡単な作業で行うことができる。
【００２１】
また本考案はその使用時には、固定部材に突出して設けた引き上げ部材が頬の下部に圧接し、耳方向に上向きの引き上げ力を受け続けるものであるため、顔に取付中（固定中）の間、頬及びその近傍部位が上方向に引き上げられた状態が継続することになり、頬及びその近傍の皮膚、筋肉が刺激を受け弛みが矯正されたり、ほうれい線の溝が浅くなって、溝を目立たなくする矯正を行うことができる。
【００２２】
さらに従属請求項に記載した考案によれば、固定部材を二層の本体とすることで、固定部材の強度を向上させたり、引き上げ部材の突出体の作成を容易にすることができる。また
固定部材を一層の基材部として、引き上げ部材を素材露出の突出部材とすることで、引き上げ効果をより向上させることができる。さらに固定部材として紐状もしくは帯状の輪材から成る閉鎖輪を使用することで、保管や使用上に便利な、またより廉価なものを作成することができる。
【図面の簡単な説明】
【００２３】
【図１】本考案顔の弛み、ほうれい線矯正用具（第１、第２の実施形態）を使用した状態を示す図面で、（A）は側面図、（B）は正面図
【図２】第１の実施形態を示し、（A）は正面側の斜視図、（B）は（A）のA―A線断面図
【図３】第２の実施形態を示し、（A）は正面図、（B）は平面図、（C）は（B）のA―A線断面図
【図４】第３の実施形態を示し、（A）は正面側からの斜視図、（B）は背面側からの斜視図
【考案を実施するための形態】
【００２４】
本考案顔の弛み、ほうれい線矯正用具は、使用時に頬及びその近傍を引き上げる目的を有する引き上げ部材と、この引き上げ部材を一部に設け使用時に両端に設けた掛け部とともに顔への固定を行う固定部材という数少ない構成要素を基本とした考案で、これの使用により顔、特に頬とその近傍部位の弛みを矯正し、同時にほうれい線の溝を浅くして目立たなくさせる矯正を行うものである。以下にその使用状態と各実施形態を図１から図４により説明する。
【００２５】
図１は本考案顔の弛み、ほうれい線矯正用具の第１及び第２の実施形態（図２、図３で説明する）を、人の顔４に取り付け、使用したときの状態を示すものである。すなわち、第１、第２の実施形態を、顔４に取り付けて使用する時には、固定部材１の中央を顎５に、固定部材１の両端に設けた掛け部２を耳６に懸け渡すことで、顔４への固定を行い、同時に固定部材１に設けた引き上げ部材３により頬７及びその近傍に圧接してこの部位を引き上げることを可能にし、頬７及びその近傍部位の矯正と、ほうれい線８を目立たなくするという矯正効果を奏するものである。また第３の実施形態（図４により説明する）においては、図１の固定部材１の形状が面体から線体（紐もしくは帯）に変更になるだけでその使用においては実質的に機能、効果ともに変わるところはない。以下にその第１、第２、第３の実施形態を図２から図４により説明する。
【００２６】
図２は第１の実施形態の矯正用具を示したもので、使用時にその両端部に固着した掛け部２としての取付体１０とともに、顔４への固定を行う固定部材１として横長の本体９を使用し、使用時に頬７及びその近傍を引き上げる目的を有する引き上げ部材３として、前記本体９の中央より両端側に向け離れたそれぞれの位置に突出部１１を設けたものである。
【００２７】
本体９は、ともに柔軟性、伸縮性に富む表面材１２と裏面材１３とを周縁部で固着した二層面材から成るもので、その中央より両端側に向け離れたそれぞれの位置に、前記表面材１２と裏面材１３との間に柔軟性、弾力性素材から成る突出芯部１４を挟んで柔軟性、弾力性のある突出部１１を形成する。また本体９の両端部には、柔軟性、伸縮性を持ったU字形状の取付体１０の開放端を固着する。これら表面材１２、裏面材１３、突出部１１、突出芯部１４の位置関係は図２の（B）で示している。
【００２８】
前記突出部１１を設ける位置は、第１の実施形態の矯正用具を顔４の顎５と耳６に取り付けたとき頬７及びその近傍を引き上げた状態となるよう、顎５の当接する位置（本体９の中央位置に該当する）からわずか上方に離れた位置（頬７の下部に該当する位置）にする。またこの突出部１１を設ける作業は、前もって突出芯部１４を表面材１２と裏面材１３との間に固定しておいて（あるいは作業方法によっては前もって固定することもなく）、この表面材１２、裏面材１３の固着作業を行う時に同時に行う。すなわち突出芯部１４は表面材１２と裏面材１３という二層の面材で表、裏両面を覆われるものである。
【００２９】
また顔４に接触するのは柔軟性素材の本体９の裏面材１３であり、耳６に係合するのは同じく柔軟性素材から成る取付体１０であるため、この第１の実施形態の矯正用具取付時に際して使用者に肉体的な負担を強いることはない。
【００３０】
この第１の実施形態の矯正用具を使用するときには、顔４の顎５に本体９の裏面材１３の中央部を当て、取付体１０をもって顔４の耳６の方向に本体９を引き上げる。そのとき本体９は顔４に密着して緊張状態となるが、突出部１１が頬７の下部位置にあたっているため、突出部１１が上方への引き上げ力を受けて頬７とその近傍を引き上げることになって、頬７とその近傍部位を上方に引き上げる働きをする。この引き上げ力により頬７近傍の皮膚、筋肉に、より強力な圧力と刺激を与えることが可能になる。
【００３１】
そのため、頬７及びその近傍の部位が第１の実施形態の矯正用具を顔４に取り付けている間（顔４に固定している間）、上方向に引き上げられた状態を保つため、頬７及びその近傍部位の弛みをなくすように働くことになる。また頬７及びその近傍部位が上方に引き上げられることで、ほうれい線８の溝も浅くなる方向に引き上げられる力を受け続けるため、ほうれい線８の溝も浅く目立たなくなる。
【００３２】
またこの第１の実施形態は、固定部材１を表面材１２、裏面材１３という二層面材で作成することにより、強度が増すとともに、引き上げ部材３となる突出部１２を形成するのに突出芯部１４という芯材を内包するという方式を採用したことにより、製作を容易にすることができる。
【００３３】
図３は第２の実施形態の矯正用具を示すもので、固定部材１として、柔軟性、伸縮性の素材から成る横長一層の基材部１５を使用するとともに、この基材部１５の両端に固着する掛け部２として、U字形状の開放端部を固着する柔軟性、伸縮性の素材から成る取付材１６を使用し、引き上げ部材３として、前記基材部１５の中央より両端側に離れたそれぞれの位置に固着した、柔軟性、弾力性素材の突出部材１７を設けたものである。なお前記突出部材１７は柔軟性、弾力性素材を露出させた状態で、形状は平頭饅頭形のものを使用する。
【００３４】
突出部材１７の固着位置は、第１の実施形態の矯正用具における突出部１１を設けた位置と同じである。すなわち第２の実施形態の矯正用具を顔４の顎５と耳６に取り付けたとき、頬７の下方位置から上方に頬７およびその近傍部位を引き上げた状態となるよう、顎５の当接する位置（基材部１５の中央位置に該当する）からわずか上方へ離れた位置（頬７の下部に該当する位置）に、その基材部１５裏面側に固着するようにする。
【００３５】
また顔４に接触するのは柔軟性素材の突出部材１７と基材部１５であり、耳６に係合するのは同じく柔軟性素材から成る取付材１６であるため、この第２の実施形態の矯正用具取付時に際して使用者に肉体的な負担を強いることはない。
【００３６】
この第２の実施形態の矯正用具を使用するときには、顔４の顎５に基材部１５の裏面の中央部を当て、取付材１６をもって顔４の耳６方向に基材部１５を引き上げる。そのとき突出部材１７が頬７の下部位置に当接するため、上方への引き上げ力を受けて頬７とその近傍を引き上げることになり、頬７を中心とした近傍部分を含めて上方に引き上げる働きをする。この引き上げ力により頬７近傍の皮膚、筋肉に、より強力な刺激、圧力を与えることが可能となる。
【００３７】
それにより、頬７及びその近傍が第２の実施形態の矯正用具を顔４に取り付けている間（固定している間）、上方向に引き上げられた状態を保つため、頬７の弛みをなくす働きを奏するものである。また頬７の部位が上方に引き上げられることで、ほうれい線８の溝も浅くなる力を受け続けるため、ほうれい線８の溝も浅く目立たなくなる効果を奏する。
【００３８】
なおこの第２の実施形態の矯正用具では、固定部材１を一層の素材の基材部１５とすることにより、引き上げ部材３として素材を露出させた突出部材１７を使用するため、固着もより簡単に行うことができる。また突出部材１７に使用する素材の選択の仕方によって引き上げ効果もより向上させることができる。
【００３９】
図４は第３の実施形態を示すもので、使用時に顔への固定をも兼ねる目的を有する固定部材１として、柔軟性、伸縮性のある素材の、紐状もしくは帯状の輪材を横長にし、両端に掛け部２としてのU字状部２０を形成する閉鎖輪１８を使用し、かつ使用時に頬７およびその近傍を引き上げる目的を有する引き上げ部材３として、前記閉鎖輪１８の中央より両端側に向け離れたそれぞれの位置に固着した、柔軟性、弾力性のある素材の突出体１９を使用するもので、使用時に閉鎖輪１８の中央を顎５に、両端のU字状部２０を耳６に懸け渡し同時に頬７およびその近傍を突出体１９により引き上げることを可能にしたものである。
【００４０】
閉鎖輪１８は紐状もしくは帯状の輪材を横長にしたもので、この第３の実施形態を顔４に固定して使用するとき、その中央となる箇所からU字状部２０となる端側に離れた位置（取付け時に頬７の下部に該当する位置）の相対向する平行した相互の輪材にかけ渡して突出体１９を固着する。また突出体１９の閉鎖輪１８を固着する面には２本の平行溝を付けてその溝に閉鎖輪１８を差し込んで固着する方法を採用しても良い。
【００４１】
また顔４に接触するのは柔軟性、弾力性素材の突出体１９と閉鎖輪１８であり、耳６に係合するのは閉鎖輪１８のU字状部２０であるため、この第３の実施形態の矯正用具を取り付けた時に使用者に肉体的な負担を強いることはない。このとき、閉鎖輪１８を作成する輪材を幅広の素材とすることにより、耳６に懸け渡したときの負担をより小さくすることができる。
【００４２】
この第３の実施形態の矯正用具を使用するときには、顔４の顎５に閉鎖輪１８の中央部を当て、閉鎖輪１８のU字状部２０をもって顔４の耳６方向に閉鎖輪１８を引き上げる。そのとき突出体１９が頬７の下部に当接するため、上方への引き上げ力を受けて頬７とその近傍を引き上げることになり、頬７を中心としてその近傍の部位を上方に引き上げる働きをする。この引き上げ力により頬７およびその近傍部位の皮膚、筋肉に強力な刺激と圧力を与えることが可能となる。
【００４３】
それにより、頬７及びその近傍部位が第３の実施形態の矯正用具を顔４に取り付けている間（固定している間）、上方向に引き上げられた状態を保つため、頬７の弛みをなくす働きを奏する。また頬７及びその近傍部位が上方に引き上げられることで、ほうれい線８の溝も浅くなるような力を受け続けるため、ほうれい線８の溝も浅く目立たなくなる。
【００４４】
なお第３の実施形態の矯正用具においては、固定部材１を紐状もしくは帯状の輪材から成る閉鎖輪１８としたことによって、構成がきわめて簡単なものであるうえ、纏めるのが容易で小さく纏めることが可能となるため、使用しない時などの保管にも有用なものである。しかも全体の嵩も小さく軽量であるため、携帯するときに便利なものであり、価格も極めて低廉なものにすることができる。また引き上げ部材３の突出体１９の固着も、２本の平行させた対向する輪材に懸け渡して行うものであるため、簡単な作業で行うことができる。
【００４５】
以上の説明のなかで固着と言ってきたが、たとえば第１の実施形態においては、本体９と取付体１０、本体９の表面材１２と裏面材１３、第２の実施形態においては基材部１５と取付材１６、および基材部１５と突出部材１７、また第３の実施形態においては、閉鎖輪１８と突出体１９の、各相互の固着は、逢着、接着、圧着いずれでも良い。
【００４６】
上記各実施形態の顔の弛み、ほうれい線矯正用具は男女を問わずに、また顎５から耳６に懸けて取り付ける簡単な作業で行うことができるため年齢にかかわらず、使用可能である。また使用はたとえば夜就寝前などの時間を利用して行うことで、弛みの矯正、ほうれい線の溝の深化を矯正することが可能である。
【符号の説明】
【００４７】
１    固定部材
２    掛け部
３    引き上げ部材
４    顔
５    顎
６    耳
７    頬
８    ほうれい線
９    本体
１０    取付体
１１    突出部
１２    表面材
１３    裏面材
１４    突出芯部
１５    基材部
１６    取付材
１７    突出部材
１８    閉鎖輪
１９    突出体
２０    U字状部
【図１】
0003175823.tif 000003
【図２】
0003175823.tif 000004
【図３】
0003175823.tif 000005
【図４】
0003175823.tif 000006